(57)【特許請求の範囲】
【請求項１】
内框に取り付けられる内フレームに枢支され、外框のストライク板に係脱されるカマと；内フレームに上下動可能に設けられると共にカマに連係され、室内側から操作部材で操作される駆動板と；外框に取り付けられる外フレームに向けて駆動板に突設された係合片と；外フレームに装着されたシリンダ錠と；外フレームに上下動可能に設けられると共に第１ラック及び第２ラックを備えた作動板と；外フレームに支承されると共にシリンダ錠の内筒に結合され、かつ、作動板の第１ラックに噛み合う第１ピニオンと；外フレーム内で水平軸線の回りに回動できるように支承され、作動板の第２ラックに噛み合う第２ピニオンと；前記水平軸線に関し対称的に配された施錠アーム部及び解錠アーム部を有し、第２ピニオンに一体的に結合された作用部材と；前記水平軸線に関し対称的に配設され、該水平軸線と同一軸線上に一端を枢着すると共に他端を自由端とした一対の戻しレバーと；それぞれの戻しレバーの自由端側に突設され、作用部材に設けた円弧状の押し孔及び固定の規制部材に設けた円弧状の受け孔に遊嵌させたピンと；側面から見てＶ字状に配された一対の戻しレバーの挟角を拡開させるように付勢させるため、それら戻しレバーに設けた戻しばねとから成り、作動板を中立位置から上昇又は下降させることにより、作用部材上の施錠アーム部又は解錠アーム部を駆動板の係合片に選択的に当接させるようにしたことを特徴とする引戸錠。
【発明の詳細な説明】
【０００１】
【発明の属する技術分野】
この発明は２つの引戸をその召し合わせ部分で施錠するための引戸錠に関する。
【０００２】
【従来の技術】
特公平６−２５５０４号公報に記載された引戸錠は、同公報に記載された通り、カマを内框側（室内側の引戸における框）に設けた引戸錠において、２つの引戸間の上下方向のずれ並びに厚さ方向の間隙の静的又は動的は変動に対応できるようにすると共に、確実な施解錠操作が達成できるようにしたものとして提案されている。
【０００３】
しかしながら、その従来の引戸錠には、構造上厚さの薄い引戸に対しては、採用しにくいという問題が残されている。その理由は、例えば、一つには、一対のアームを枢支した外框内のホルダが前後（引戸の厚さ方向）に移動可能にしてあるためである。
【０００４】
また、他の一つには、外框に取付けられているシリンダ錠はその内筒が前後に摺動される形式であるためで、外框側の錠機構の厚さはかなり厚くなってしまうことになる。
【０００５】
そこで、本願人は先に厚さの薄い引戸に対しても適用できるようにした引戸錠を開発し、特願平７−３２９９１４号として特許出願した。
【０００６】
その出願に係る引戸錠は、内框に取り付けられる内フレームに枢支され、外框のストライク板に係脱されるカマと；内フレームに上下動可能に設けられると共にカマに連係され、室内側から操作部材で操作される駆動板と；外框に取り付けられる外フレームに向けて駆動板に突設された係合片と；外フレームに装着されたシリンダ錠と；外フレームに上下動可能に設けられると共に第１ラック及び一対の第２ラックを備えた作動板と；外フレームに支承されると共にシリンダ錠の内筒に結合され、かつ、作動板の第１ラックに噛み合う第１ピニオンと；外フレームに支承され、作動板の一対の第２ラックに選択的に噛み合う一対の第２ピニオンと；一方の第２ピニオンに一体的に設けられ、その一方の第２ピニオンの回動に伴って上記駆動板の係合片に当接して解錠位置のカマを施錠位置に振り出させる施錠アームと；他方の第２ピニオンに一体的に設けられ、その他方の第２ピニオンの回動に伴って上記駆動板を係合片に当接して施錠位置のカマを解錠位置に振り戻させる解錠アームと；施錠アーム及び解錠アームを外フレーム内に収納させる方向に付勢させる戻しばねとから成るものである。
【０００７】
ところが、前述の先願に係る引戸錠においては、施錠アーム及び解錠アームを作動させるについて、対をなすようにして各別に作動機構が設けてある。
【０００８】
換言すれば、各別に設けられた施錠アーム及び解錠アームに対応させるため、第２ラック及び第２ピニオンの組が２組設けられていることになり、この複雑な作動機構についてはなお改善すべき余地がある。
【０００９】
【発明が解決しようとする課題】
この発明の引戸錠は、厚さの薄い引戸に対しても適用できるようにすること、並びに、シリンダ錠を通じて操作される作動板と施錠アーム部及び解錠アーム部との間の作動機構を簡単にすると共に、その作動を円滑にすることを目的として提案されたものである。
【００１０】
【課題を解決するための手段】
上記の目的を達成するため、この発明の引戸錠は、内框に取り付けられる内フレームに枢支され、外框のストライク板に係脱されるカマと；内フレームに上下動可能に設けられると共にカマに連係され、室内側から操作部材で操作される駆動板と；外框に取り付けられる外フレームに向けて駆動板に突設された係合片と；外フレームに装着されたシリンダ錠と；外フレームに上下動可能に設けられると共に第１ラック及び第２ラックを備えた作動板と；外フレームに支承されると共にシリンダ錠の内筒に結合され、かつ、作動板の第１ラックに噛み合う第１ピニオンと；外フレーム内で水平軸線の回りに回動できるように支承され、作動板の第２ラックに噛み合う第２ピニオンと；前記水平軸線に関し対称的に配された施錠アーム部及び解錠アーム部を有し、第２ピニオンに一体的に結合された作用部材と；前記水平軸線に関し対称的に配設され、該水平軸線と同一軸線上に一端を枢着すると共に他端を自由端とした一対の戻しレバーと；それぞれの戻しレバーの自由端側に突設され、作用部材に設けた円弧状の押し孔及び固定の規制部材に設けた円弧状の受け孔に遊嵌させたピンと；側面から見てＶ字状に配された一対の戻しレバーの挟角を拡開させるように付勢させるため、それら戻しレバーに設けた戻しばねとから成り、作動板を中立位置から上昇又は下降させることにより、作用部材上の施錠アーム部又は解錠アーム部を駆動板の係合片に選択的に当接させるようにしたことを特徴とする。
【００１１】
【発明の実施の形態】
以下、図面に示す実施例に基づいて、この発明について説明する。
図１及び図２において、符号１０は室内側引戸の框、すなわち内框、２０は室外側引戸の框、すなわち外框をそれぞれ示す。
【００１２】
箱状のフレーム１は内側化粧板１１及びフロント板１２と共に内框１０にねじ９１等で固定され、同様に箱状をなす外フレーム２は外側化粧板２１及びストライク板２２と共に外框２０にねじ９２等で固定される。図１で符号９３は雌ねじを備えた支柱である。
【００１３】
内フレーム１内に横軸３１で枢支される錠止部材であるカマ３は、後記の駆動板４の上下動により揺動して外框２０上のストライク板２２の係入孔２３に係脱して施錠位置又は解錠位置を占める。
【００１４】
内フレーム１内にそのフレーム１の内壁面など任意の案内手段で案内されるようにして上下動可能に設けられた駆動板４は、室内側から手指により操作部材４１で操作される。
【００１５】
操作部材４１は内側化粧板１１と止め板１３とで作られた空間内に納められ、つまみ４２で駆動板４と共に上下動される。操作部材４１と駆動板４との間は結合ピン４３で結合されている。
【００１６】
例えば、横断面がＵ字状に形成された駆動板４内には、外框２０の外フレーム２に向けて係合片４４が一体に又は別体として突設してある。図示例の係合片４４は全体がＬ字状に作られ、ねじ等で駆動板４の底面に固定されている。
【００１７】
上記のカマ３には、厚さ方向にだるま形など非円形の係合孔３２が設けてあり、その係合孔３２に対し駆動板４に固設した駆動ピン４５が遊嵌させてある。
【００１８】
このような駆動ピン４５と係合孔３２とからなる連係手段の存在により、駆動板３が図１で下方へ移動すると、カマ３は矢印Ａのように振り出され、ストライク板２２の係入孔２３に係入されて施錠状態となる。また、駆動板３が逆に上方に戻ると、カマ３は矢印Ａとは逆の方向に振り戻され、図１の解錠位置に復帰する。
【００１９】
なお、図１で符号４６は、不正解錠を防止するため解錠時内フレーム１から水平方向に選択的に突出できるように、駆動板４に連係させて設けた防護フード、４７は駆動板４に設けた上記横軸３１の逃げ孔、３３はカマ３のクリックばねである。
【００２０】
以上に説明した内框１０側の内フレーム１における錠機構については、前出の公告公報等に示され公知であるから、その構造又は作動についての更に詳しい説明はここでは省略する。
【００２１】
一方、図１及び図２に示すように、外框２０に取付けられる外フレーム２の上方部には、ディスクタンブラー錠その他のシリンダ錠５を鍵の差し込み方向Ｋがストライク板２２と直角をなすようにして装着してあり、その内筒５１は、テールピース５２を介して外フレーム２内で支承された第１ピニオン７１に結合させてある。
【００２２】
また、外フレーム２内には、そのフレーム２の内壁面又は突片など任意の案内手段で案内されるようにして上下動可能に作動板６が設けられている。図１においては、作動板６は他部材との区別を可及的明瞭にするため一点鎖線で示してある。
【００２３】
作動板６は、図３に明示するように、１枚の板材で作られており、一端側（図３で上端側）に第１ラック６１が、他端側（同図で下端側）に第２ラック６２が設けてある。
【００２４】
図１及び図２に示すように、作動板６の第１ラック６１は上記の第１ピニオン７１に噛み合せてあり、また、第２ラック６２は外框２０のストライク板２２と平行をなす水平軸線の回りに回動できるように外フレーム２内で支承された第２ピニオン７２に対し噛み合せてある。
【００２５】
前記水平軸線に関し対称的に配された施錠アーム部８１及び解錠アーム部８２を有する作用部材８は側面形が例えば半円状に形成され（図４参照）、この作用部材８と第２ピニオン７２とは、図２に明示するように管状軸８３によって一体的に結合されている。
【００２６】
そして、その管状軸８３は第２ピニオン７２及び作用部材８と共に外フレーム２内に固定された固定軸８４の回りに回動可能に嵌め合されている。
【００２７】
すなわち、第２ピニオン７２、管状軸８３及び作用部材８は、第２ピニオン７２が作動板６の上下動によって第２ラック６２を介して回動された時、水平軸線（８４）の回りを一体となって回動する。
【００２８】
図１、図２及び図６において、符号８５、８６は対をなす戻しレバーで、前記の水平軸線（８４）に関し対称的に配設されている。一対の戻しレバー８５、８６は、それぞれの一端が水平軸線である固定軸８４の回りに回動可能に枢着され、それぞれの他端が自由端とされている。
【００２９】
また、各戻しレバー８５（８６）の自由端側に突設したピン８５ａ（８６ａ）は、図１、図２、図４、図５及び図６に示すように、作用部材８に設けた円弧状の押し孔８７及び外フレーム２内に固設した例えば箱形をなす規制部材８８に設けた円弧状の受け孔８９に対し遊嵌させてある。
【００３０】
受け孔８９を有する規制部材８８は、図示例のように外フレーム２に対し別体として固定してもよいし、外フレーム２の一部をなすようにしてもよい。
【００３１】
更に、側面から見てＶ字状をなすようにして固定軸８４の回りに枢着された戻しレバー８５、８６には、鋭角をなすその挟角を拡開させる方向に付勢させるためのねじりばね等の戻しばね３０が少くも１つ付設してある。
【００３２】
図示例の戻しばね３０としては、側面がＶ字状をなす開脚ねじりばねが用いられており、その開脚ねじりばね３０は両端と中央部に取付のためのループを有する。
【００３３】
開脚ねじりばね３０の中央のループは上記の固定軸８４に嵌め込んであり、両端のループは戻しレバー８５、８６のピン８５ａ、８６ａにそれぞれ掛け止めてある。この構成により、一対の戻しレバー８５、８６は、挟角が拡がる方向に付勢されることになる。
【００３４】
図１に示すような引戸錠の解錠状態においては、作用部材８が外フレーム２内に完全に収納された正常な中立位置に保持されていないと、作用部材８の一部、すなわち、施錠アーム部８１又は解錠アーム部８２が相手側の引戸１０又はフロント板１２等に衝突して支障を来たすことになる。
【００３５】
上述した一対の戻しレバー８５、８６、戻しばね３０及び規制部材８８等から成る戻し機構は、鍵によるシリンダ錠５の操作後、作用部材８が所定の中立位置に確実に戻るようにしたものである。
【００３６】
図１の解錠状態では、戻しレバー８５、８６の挟角は戻しばね３０により押し拡げられる一方で、各戻しレバー８５（８６）のピン８５ａ（８６ａ）は固定の規制部材８８の受け孔８９の一方の端部（又は他方の端部）においてその移動が制限されるため、作動板６及び第２ピニオン７２等を通じて鍵からの操作外力が加えられない限り、作用部材８は所定の中立位置に保持されることになる。
【００３７】
次に、以上の構成のこの発明の引戸錠について、図１及び図２を参照してその作用を説明する。
【００３８】
室内側から操作部材４１のつまみ４２により施解錠操作する場合、外フレーム２内の機構とは独立して駆動板４が上下動され、カマ３が突出入して施解錠されるものであることは、従来のものと何ら変わりがないので、ここでは鍵を用いた施解錠操作についてのみ説明する。
【００３９】
図１の解錠状態において、シリンダ錠５に対し矢印Ｋで示す方向に鍵（図示しない）を差込み、例えば左回りに回動させると、第１ピニオン７１と第１ラック６１において噛み合う作動板６が上昇する。
【００４０】
すると、作動板６上の第２ラック６２と噛み合う第２ピニオン７２がその左回りの回動に伴って作用部材８を矢印Ｂ方向に回動させる。
【００４１】
その際、規制部材８８の受け孔８９の上端縁によってピン８６ａを介して左回りの回動が拘束されている他方の戻しレバー８６は、その位置に留まるが、第２ピニオン７２と共に回動する作用部材８の押し孔８７の下端縁によって左回りに押される一方の戻しレバー８５のピン８５ａは、規制部材８８に対しては円弧状の受け孔８９によって逃がされるので、一方の戻しレバー８５は不動状態にある他方の戻しレバー８６との間で戻しばね３０による付勢力を蓄えつつ左回りに回動される。
【００４２】
そして、作用部材８における施錠アーム部８１が駆動板４の係合片４４を上から押圧して該駆動板４を降下させるので、カマ３は矢印Ａのように振り出され、ストライク板２２の係入孔２３に係入されて施錠状態となる。
【００４３】
施錠後、鍵を右回りに回して元の角度位置に戻しその鍵を引き抜けば、施錠操作は完了する。その際、外框２０側の錠機構における各部材は戻しばね３０の復元力等により当初の位置（図１及び図２の位置参照）に確実に復帰する。
【００４４】
次に施錠状態の引戸錠を解錠するには、シリンダ錠５に差し込んだ鍵を逆に例えば右回りに回動させる。
【００４５】
この場合、前記の施錠作動に準じ、逆に作動板６が降下すると、作動板６上の第２ラック６２と噛み合う第２ピニオン７２がその右回りの回動に伴って作用部材８を矢印Ｃ方向に回動させる。
【００４６】
その際、規制部材８８の受け孔８９の下端縁によってピン８５ａを介して右回りの回動が拘束されている一方の戻しレバー８５は、その位置に留まるが、第２ピニオン７２と共に回動する作用部材８の押し孔８７の上端縁によって右回りに押される他方の戻しレバー８６のピン８６ａは、規制部材８８に対しては円弧状の受け孔８９によって逃がされるので、他方の戻しレバー８６は不動状態にある一方の戻しレバー８５との間で戻しばね３０による付勢力を蓄えつつ右回りに回動される。
【００４７】
そして、作用部材８における解錠アーム部８２が駆動板４の係合片４４を下から押圧して該駆動板４を上昇させるので、カマ４は施錠位置から振り戻されて解錠位置に戻ることになる。
【００４８】
解錠後、鍵を左回りに回して元の角度位置に戻しその鍵を引き抜けば、解錠操作は完了する。その際、外框２０側の錠機構における各部材は戻しばね２０の復元力等により当初の位置に（図１及び図２の位置参照）に確実に復帰する。
【００４９】
【発明の効果】
以上に説明したこの発明の引戸錠によれば、外框側の外フレームに装着される施解錠機構には、従来の引戸錠に見られるホルダのような、ストライク板と直角をなす方向について可動にした枠体を備えていないので、その機構を全体として薄く作ることができ、厚さのごく薄い引戸にも十分適用出来るという効果を奏する。
【００５０】
また、この発明の引戸錠は、２つの引戸間の上下方向のずれ並びに厚さ方向の静的又は動的な変動に対応出来るばかりでなく、確実な施解錠操作が達成できるものである。
【００５１】
更に、この発明の引戸錠では、シリンダ錠を通じて操作される作動板と施錠アーム部及び解錠アーム部を有する単一の作用部材との間を１組の第２ラック及び第２ピニオンの組で連動できるようにしたので、その作動機構は極めて簡単であり、また、その作動も極めて円滑である。
【００５２】
加えて、夫々独立して施錠角度位置及び解錠角度位置をとることができる一対の戻しレバーに作用部材を連係させたので、施錠及び解錠操作完了時作用部材を戻しばねの弾力で確実に中立位置に復帰させることができ、したがって施錠アーム部又は解錠アーム部がストライク板から突出することがない、等種々の効果を奏する。
【図面の簡単な説明】
【図１】この発明の引戸錠の実施例を示す縦断側面図。
【図２】図１の引戸錠の外框側の施解錠機構について一部を切除して示した部分縦断正面図。
【図３】図１の引戸錠から取り外した作動板を示し、（Ａ）は正面図、（Ｂ）は側面図である。
【図４】図１の引戸錠から取り外した作用部材を示し、（Ａ）は正面図、（Ｂ）は側面図である。
【図５】図１の引戸錠から取り外した規制部材を示し、（Ａ）は正面図、（Ｂ）は側面図である。
【図６】図１の引戸錠から取り外した対をなす戻しレバーの一方を示し、（Ａ）は側面図、（Ｂ）は平面図である。
【符号の説明】
１０  内框
２０  外框
１  内フレーム
２  外フレーム
２２  ストライク板
３  カマ
４  駆動板
４１   操作部材
４４  係合片
５  シリンダ錠
５１  内筒
６  作動板
６１   第１ラック
６２   第２ラック
７１  第１ピニオン
７２  第２ピニオン
８  作用部材
８１   施錠アーム部
８２   解錠アーム部
８５  戻しレバー
８５ａ  ピン
８６  戻しレバー
８６ｂ  ピン
８７   押し孔
８８   規制部材
８９   受け孔
３０  戻しばね
【図１】
0003936028.tif 000002
【図２】
0003936028.tif 000003
【図３】
0003936028.tif 000004
【図４】
0003936028.tif 000005
【図５】
0003936028.tif 000006
【図６】
0003936028.tif 000007